(57)【要約】【課題】  木製ブラインド、高窓大型ブラインド等の比較的重いベネシャンブラインドの昇降操作を非力なユーザでも手引きで軽快に行うことができる電動アシストブラインドであって、電源を切らずに、スラットの傾斜調整が可能なものを提供する。【解決手段】  操作プーリに掛けた操作コードを引いて前記操作プーリを回転し、前記操作プーリの回転を昇降機構の駆動軸に伝達し、前記駆動軸を回転させてスラットを傾斜・昇降させる方式のブラインドにおいて、駆動軸に直接又は減速ギヤを介して連結される電気モータを備え、操作プーリが、基本位置から、スラット上昇方向に所定角度以上回転すると、電気モータをスラット上昇方向に回転させ、スラット下降方向に所定角度以上回転すると、電気モータをスラット下降昇方向に回転させる電動アシスト手段を設ける。【特許請求の範囲】
【請求項１】
操作プーリに掛けた操作コードを引いて前記操作プーリを回転し、前記操作プーリの回転を昇降機構の駆動軸に伝達し、前記駆動軸を回転させてスラットを傾斜・昇降させる方式のブラインドにおいて、前記駆動軸に直接又は減速ギヤを介して連結される電気モータを備え、前記操作プーリが、基本位置から、上昇方向に所定角度以上回転すると、前記電気モータを前記スラットの上昇方向に回転させ、下降方向に所定角度以上回転すると、前記電気モータを前記スラットの下降昇方向に回転させる電動アシスト手段が設けられることを特徴とする電動アシストブラインド。
【請求項２】
電動アシスト手段は、操作プーリの回転軸に遊嵌されるディスクと、前記ディスクを前記操作プーリに押し付けるバネと、前記ディスクに設けられるドッグと、前記ヘッドボックスに支持されるサポータに配設されて前記ドッグと係合して作動する第１及び第２スイッチとからなり、前記ディスクが前記操作プーリと共に上昇方向に所定角度以上回転すると、前記ドッグは前記第１スイッチを作動させて前記電気モータをスラット上昇方向に回転させ、前記ディスクが前記操作プーリと共に下降方向に所定角度以上回転すると、前記ドッグは前記第２スイッチを作動させて前記電気モータをスラット下降方向に回転させることを特徴とする請求項１に記載の電動アシストブラインド。
【請求項３】
サポータに、上昇方向に所定角度以上回転するディスクを第１スイッチと係合直前の位置へ戻す第１戻しバネと、下降方向に所定角度以上回転する前記ディスクを第２スイッチと係合直前の位置へ戻す第２戻しバネが設けられることを特徴とする請求項２に記載の電動アシストブラインド。
【請求項４】
第１及び第２スイッチは、ドッグと係合して作動する所定角度位置の調整ができるようにサポータに取り付けられることを特徴とする請求項２又は３に記載の電動アシストブラインド。
【請求項５】
操作プーリの上昇及び下降方向の所定角度は、前記操作プーリがスラットを水平位置から上昇及び下降方向の傾斜限度まで回転させる回転角度に設定されることを特徴とする請求項１ないし４のいずれか１つに記載の電動アシストブラインド。
【請求項６】
第１スイッチは、ドッグが上昇向の所定角度を越えて２０゜以下の角度上昇方向に回転するときに作動し、第２スイッチは、ドッグが下降方向の所定角度を越えて２０゜以下の角度下降方向に回転するときに作動することを特徴とする請求項１ないし５のいずれか１つに記載の電動アシストブラインド。
【発明の詳細な説明】
【技術分野】
【０００１】
本発明はブラインドの手動昇降操作を電気モータにより補助する電動アシストブラインドに関する。
【背景技術】
【０００２】
手動で操作する木製ベネシャンブラインド、高窓用ベネシャンブラインドは重いため、減速ギヤを使用して昇降操作を軽くしている。比較的小型のブラインドの場合、減速ギヤを使用すると、非力なユーザでも、ブラインド昇降操作に困ることはない。しかし、ブラインドが大型になると、減速ギヤを使用しても、非力なユーザがブラインド昇降操作を行うことは困難となる。
【０００３】
この問題を解決するものとして、特開２００２−３０９８６８公報は、ブラインドの手動昇降操作を電気モータにより補助する電動アシストブラインドを提案している。その電動アシストブラインドは、操作プーリに掛けた操作コードを引いて操作プーリを回転し、操作プーリの回転を減速ギヤを介して昇降機構に伝達し、昇降機構を回転させてスラットを傾斜・昇降させるブラインドであり、減速ギヤの出力軸に電気モータが直結され、操作コードが上昇及び下降方向に引かれることを検知する上昇及び下降検知スイッチが設けられ、上昇検知スイッチがオンになると、電気モータが上昇方向に回転し、下降検知スイッチがオンになると電気モータが下降方向に回転する方式である。
【０００４】
この電動アシストブラインドは、スラットの傾斜調整のために操作コードを引いて操作プーリを回転させるとき、上昇及び下降検知スイッチがオンにならないように、電気モータの電源を切る必要がある。
【特許文献１】特開２００２−３０９８６８公報
【発明の開示】
【発明が解決しようとする課題】
【０００５】
本発明の課題は、非力なユーザでも、木製ベネシャンブラインド、高窓用ベネシャンブラインド等の比較的重いブラインドを容易に手動で昇降操作することができる電動アシストブラインドであって、スラットの傾斜調整のために操作コードを引いて操作プーリを回転するときに、電気モータの電源を切らなくても、上昇及び下降検知スイッチがオンにならないものを提供することである。
【課題を解決するための手段】
【０００６】
前記課題を達成するため、本発明が採用する手段は、ヘッドボックスに設けられる操作プーリに掛けた操作コードを引いて操作プーリを回転し、操作プーリの回転を昇降機構の駆動軸に伝達し、駆動軸を回転させてスラットを傾斜・昇降させる方式のブラインドにおいて、その駆動軸に直接又は減速ギヤを介して連結される電気モータを備える電動アシスト手段を設け、操作プーリが、基本位置から、上昇方向に所定角度以上回転すると、電気モータをスラット上昇方向に回転させ、下降方向に所定角度以上回転すると、電気モータをスラット下降昇方向に回転させることを特徴とする。
【発明の効果】
【０００７】
本発明の電動アシストブラインドは、手動によるスラットの昇降操作を電気モータで補助する方式であるから、ユーザは非力であっても、木製ブラインド、高窓用大型ブラインド等の比較的重いブラインドを容易に昇降することが可能である。また、本発明の電動アシスト手段は、スラットの傾斜調整中、電気モータを起動しないから、電源を切らずにスラットの傾斜調整を行うことができる。さらに、この電動アシスト手段は、ユニット化することにより、既設手動ブラインドに後付け可能となるから、既設手動ブラインドの電動アシストブラインドへの改造が容易になる。
【発明を実施するための最良の形態】
【０００８】
電動アシスト手段は、ユニット化を容易にするため、ヘッドボックスに支持されるサポータと、操作プーリの回転軸に遊嵌されるディスクと、ディスクを操作プーリに押し付けるバネと、ディスクに設けられるドッグと、ドッグと係合して作動する第１及び第２スイッチとから形成し、ディスクが操作プーリと共に上昇方向に所定角度以上回転すると、ドッグは第１スイッチを作動させて電気モータをスラット上昇方向に回転させ、ディスクが操作プーリと共に下降方向に所定角度以上回転すると、ドッグは第２スイッチを作動させて電気モータをスラット下降方向に回転させるようにすることが好ましい。バネは、ヘッドボックスから突出する操作プーリの回転軸の先端に設けられるキャップとディスクの間に介在させる。
【０００９】
サポータに、上昇方向に所定角度以上回転するディスクを第１スイッチと係合直前の位置へ戻す第１戻しバネと、下降方向に所定角度以上回転するディスクを第２スイッチと係合直前の位置へ戻す第２戻しバネを設け、これにより、操作コードを放すと直ちに電気モータが回転を停止するようにすることが望ましい。
【００１０】
操作プーリの基本位置からの上昇及び下降方向の所定角度は、操作プーリがスラットを水平位置から上昇及び下降方向の傾斜限度まで回転させる回転角度に設定し、第１スイッチは、ドッグが上昇向の所定角度を越えて２０゜以下のある角度上昇方向に回転するときに作動し、第２スイッチは、ドッグが下降方向の所定角度よりも２０゜以下のある角度下降方向に回転するときに作動するように設定することが好ましい。第１及び第２スイッチは、ドッグと係合して作動する所定角度位置の調整ができるようにサポータに取り付けることが望ましい。
【実施例】
【００１１】
本発明のブラインドを図面に示す実施例に基づいて説明する。
図１及び図２は本発明実施例の電動アシストブラインドの要部を示す部分断面平面図及び正面図、図３はサポータの背面図である。
【００１２】
図１及び図２に示すように、ブラインド１のヘッドボックス２内に、巻取ドラムを備える昇降機構３と、その昇降機構の駆動軸４に直結する出力側減速ギヤ５と、そのギヤとカップリング６を介して連結する電気モータ７を一列に配置する。出力側減速ギヤ５とかみ合う入力側減速ギヤ８の回転軸９は、ヘッドボックス２の正面に突出する。ヘッドボックス２の外側において、回転軸９には操作プーリ１０が一体回転するように取り付けられ、操作プーリ１０には操作コード１１が掛けられる。
【００１３】
操作コード１１の一方を引いて操作プーリ１０を一方向に回転させると、昇降機構の駆動軸４はスラットが傾斜して上昇する方向に回転し、操作コード１１の他方を引いて操作プーリ１０を逆方向に回転させると、昇降機構の駆動軸４はスラットが逆に傾斜して下降する方向に回転する。このとき、電気モータ７も手動により回転する。
【００１４】
操作プーリ１０の正面側に隣接するディスク１２が回転軸９に相互回転可能に外嵌される。回転軸９の先端には、キャップ１３が固定され、そのキャップ１３とディスク１２の間には、ディスク１２を操作プーリ１０に押し付けるバネ１４が介在する。ディスク１２は操作プーリ１０に仕込まれるボール１５と接触する。ディスク１２には、半径方向に突出するドッグ１６と、正面側に突出するバンパー１７が設けられる。
【００１５】
ヘッドボックス２にディスク１２の正面下半部を被覆するサポータ１８をボルト等を介して取り付ける。図３に示すように、サポータ１８の背面において、左右の一方に、ディスクが基本位置からスラット上昇側に所定角度以上回転すると、ドッグと係合して作動する第１スイッチ１９を、位置調整可能に固定し、左右の他方に、ディスクが基本位置からスラット下降側に所定角度以上回転すると、ドッグと係合して作動する第２スイッチ２０を、位置調整可能に固定する。
【００１６】
サポータ１８の背面において、左右に第１及び第２バネ室２３、２４を設け、そこに第１及び第２戻しバネ２１，２２を配置する。第１戻しバネ２１は、ディスクが基本位置からスラット上昇側に所定角度以上回転すると、バンパーと係合してディスクを所定の上昇側角度位置に戻そうとする。第２戻しバネ２２は、ディスクが基本位置からスラット下降側に所定角度以上回転すると、バンパーと係合してディスクを所定の下降側角度位置に戻そうとする。
【００１７】
次に、スラットの傾斜調整と昇降操作を、動作を示す模式図４に基づいて説明する。スラットが水平状態のとき、図４（ａ）に示すように、ドッグ１６とバンパー１７が頂点にくるようにディスク１２を配置し、ディスク１２のを基本位置とする。ディスク１２はバネにより操作プーリ１０に押し付けられ、ボールを介して操作プーリ１０と摩擦接触するため、回転を制止されない限り操作プーリ１０と一体回転する。
【００１８】
図４（ｂ）に矢印Ｂで示すように、操作コードが引かれて操作プーリ１０と一体回転するディスク１２が、図４（ａ）の基本位置から、スラット上昇側に所定角度、図においては９０°、回転するまで、ドッグ１６は第１スイッチ１９と係合しないから、電気モータは起動しない。このドッグ１６が基本位置からスラット上昇方向の所定角度まで回転する角度範囲は、操作プーリがスラットを水平位置から上昇方向の傾斜限度まで回転させる回転角度であり、スラットの上昇側への傾斜調整領域である。この領域内においては、電気モータの電源を切らなくても、スラットの傾斜調整中に、電気モータが起動してスラットが上昇するおそれはない。
【００１９】
図４（ｃ）に矢印Ｃで示すように、操作コードがさらに引かれて操作プーリ１０と一体回転するディスク１２が、スラット上昇側に所定角度を超えてから２０°以下の角度、図においては１０°回転すると、ドッグ１６は第１スイッチ１９と係合するから、電気モータが起動してスラット上昇方向に回転する。そこで、操作コードを引き続けると、ディスク１２は第１スイッチ１９に回転を制止されてスリップするが、操作プーリ１０はそのまま回転するから、スラットは上昇する。この上昇操作は、電気モータの補助があるため、ユーザの負担は大幅に減少する。このドッグ１６がスラット上昇方向の所定角度を越えてからの２０°以下の回転範囲が、スラットの上昇操作領域である。
【００２０】
そこで、操作コードを放すと、戻しバネ２１がバンパー１７を介してディスク１２を反転させて図４（ｂ）の状態に戻すから、電気モータの回転は停止する。ここで、再び、操作コードを引くと、直ぐにドッグ１６は第１スイッチ１９と係合するから、瞬時に電気モータが回転し、スラットが上昇する。
【００２１】
図４（ｄ）に矢印Ｄで示すように、操作コードが引かれて操作プーリ１０と一体回転するディスク１２が、図４（ａ）の基本位置からスラット下降側に所定角度、図においては９０°、回転するまでは、ドッグ１６と第２スイッチ２０は係合しないから、電気モータは起動しない。このドッグ１６が基本位置からスラット下降方向の所定角度まで回転する角度範囲は、操作プーリがスラットを水平位置から下降方向の傾斜限度まで回転させる回転角度であり、スラットの下降側への傾斜調整領域である。この領域においては、電気モータの電源を切らなくても、スラットの傾斜調整中に、電気モータが起動してスラットが下降するおそれはない。
【００２２】
図４（ｅ）に矢印Ｅで示すように、操作コードがさらに引かれて操作プーリ１０と一体回転するディスク１２が、スラット下降側に所定角度を越えて２０°以下の角度、図においては１０°回転すると、ドッグ１６は第２スイッチ１９と係合するから、電気モータが起動してスラット上昇方向に回転する。そこで、操作コードを引き続けると、ディスク１２は第２スイッチ２０に回転を制止されてスリップするが、操作プーリ１０はそのまま回転するから、スラットは下降する。このドッグ１６がスラット下降方向の所定角度を越えてからの２０°以下の回転範囲が、スラットの下降操作領域である。
【００２３】
そこで、操作コードを放すと、戻しバネ２１がバンパー１７を介してディスク１２を反転させて図４（ｂ）の状態に戻すから、電気モータの回転は停止する。再び、操作コードを引くと、直ぐにドッグ１６は第２スイッチ２０と係合するから、瞬時に電気モータが回転し、スラットが下降する。
【図面の簡単な説明】
【００２４】
【図１】本発明実施例の電動アシストブラインドの要部を示す部分断面平面図、
【図２】図１の電動アシストブラインドの要部正面図、
【図３】図１のサポータの背面図、
【図４】図１の電動アシストブラインドの動作を示す模式図、（ａ）は基本位置を、（ｂ）はスラット上昇側傾斜調整領域を、（ｃ）はスラット上昇操作領域を、（ｄ）はスラット下降側傾斜調整領域を、（ｃ）はスラット下降操作領域をそれぞれ示す。
【符号の説明】
【００２５】
１：ブラインド
２：ヘッドボックス
３：昇降機構
４：駆動軸
５：減速ギヤ（出力側）
６：電気モータ
７：カップリング
８：減速ギヤ（入力側）
９：回転軸
１０：操作プーリ
１１：操作コード
１２：ディスク
１３：キャップ
１４：バネ
１５：ボール
１６：ドッグ
１７：バンパー
１８：サポータ
１９：第１スイッチ
２０：第２スイッチ
２１：第１戻しバネ
２２：第２戻しバネ
２３：第１バネ室
２４：第２バネ室
【図１】
2005256515.tif 000002
【図２】
2005256515.tif 000003
【図３】
2005256515.tif 000004
【図４】
2005256515.tif 000005